(57)【特許請求の範囲】
【請求項１】
磁気ヘッドと、
上記磁気ヘッドが取り付けられるスライダと、
弾性を有する板状の部材を用いて形成され、上記スライダが一端側に設けられているとともに、他端側が固定部に取り付けられる支持部材とを備え、
上記スライダのディスク摺接面側であって、上記スライダの先端側に位置して、上記支持部材の他端側から一端側に向かって所定の仰角で傾斜する第１の傾斜ガイド面が設けられ、上記スライダの基端側に位置して、上記支持部材の一端側から他端側に向かって所定の仰角で傾斜する第２の傾斜ガイド面が設けられ、
上記スライダのディスク摺接面方向において、上記磁気ヘッドは、上記第１の傾斜ガイド面と上記第２の傾斜ガイド面との間に配置されていることを特徴とする磁気ヘッド装置。
【請求項２】
上記スライダは、上記磁気ヘッドを保持する保持部と先端に上記第１の傾斜ガイド面が形成された突出部とにより構成され、上記突出部が上記保持部より上記支持部材の他端側から一端側に向かって突出するように形成されたことを特徴とする請求項１記載の磁気ヘッド装置。
【請求項３】
上記支持部材は、上記スライダが取り付けられる取付け部と、上記取付け部と一体に形成された支持部とから構成され、上記スライダに設けられた突出部は上記支持部より先端側に向かって突出するように形成されていることを特徴とする請求項２記載の磁気ヘッド装置。
【請求項４】
上記支持部材は、上記取付け部と上記支持部とが一体に形成されていることを特徴とする請求項３記載の磁気ヘッド装置。
【請求項５】
上記スライダは、上記保持部が上記突出部より下方に突出するようにして上記取付け部に取り付けられていることを特徴とする請求項２記載の磁気ヘッド装置。
【請求項６】
磁気ヘッドが取り付けられるスライダと、
上記スライダが一端側に取り付けられるとともに、他端側が固定部に取り付けられ、上記スライダに取り付けられた上記磁気ヘッドがディスク状記録媒体に近接する第１の位置とディスク状記録媒体より離間する第２の位置との間を移動する弾性を有する板状の部材を用いて形成された支持部材とを備え、
上記スライダのディスク摺接面側であって、上記スライダの先端側に位置して、上記支持部材の他端側から一端側に向かってディスク状記録媒体より離間する方向に傾斜して形成され、上記ディスク状記録媒体が上記装置本体に挿入される際に上記ディスク状記録媒体と当接して上記支持部材を上記第２の位置方向に移動させる第１の傾斜ガイド面が設けられ、
上記スライダのディスク摺接面側であって、上記スライダの基端側に位置して、上記支持部材の一端側から他端側に向かって所定の仰角で傾斜する第２の傾斜ガイド面が設けられ、
上記スライダのディスク摺接面方向において、上記磁気ヘッドは、上記第１の傾斜ガイド面と上記第２の傾斜ガイド面との間に配置されていることを特徴とするディスク状記録媒体の記録及び／又は再生装置。
【請求項７】
上記スライダは、上記磁気ヘッドを保持する保持部と先端に上記第１の傾斜ガイド面が形成された突出部とにより構成され、上記突出部が上記保持部より上記支持部材の他端側から一端側に向かって突出するように形成されたことを特徴とする請求項６記載のディスク状記録媒体の記録及び／又は再生装置。
【請求項８】
上記支持部材は、上記スライダが取り付けられる取付け部と、上記取付け部と一体に形成された支持部とから構成され、上記スライダに設けられた突出部は上記支持部より先端側に向かって突出するように形成されていることを特徴とする請求項７記載のディスク状記録媒体の記録及び／又は再生装置。
【請求項９】
上記スライダは、上記保持部が上記突出部より下方に突出するようにして上記取付け部に取り付けられていることを特徴とする請求項８記載のディスク状記録媒体の記録及び／又は再生装置。
【請求項１０】
上記装置は、更にディスク状記録媒体に記録及び／又は再生を行う記録及び／又は再生手段と、装置本体に挿入されたディスク状記録媒体を保持した状態で移動して上記記録及び／又は再生手段に装着するためのホルダとを備え、上記ホルダには、上記磁気ヘッド及び／又はスライダが臨む開口部が形成されていることを特徴とする請求項６記載のディスク状記録媒体の記録及び／又は再生装置。
【請求項１１】
上記支持手段は、上記ホルダによって上記記録及び／又は再生手段にディスク状記録媒体を装着する際に、上記開口部より上記ホルダ内に位置する上記第１の傾斜ガイド面とディスク状記録媒体とが当接することによって上記第２の位置方向に回動され、上記ホルダによって上記記録及び／又は再生手段に装着されたディスク状記録媒体を排出する際には、上記ホルダの移動に応じて上記第２の位置方向に回動されることを特徴とする請求項１０記載のディスク状記録媒体の記録及び／又は再生装置。
【発明の詳細な説明】
技術分野
本発明は、光磁気ディスク等のディスク状記録媒体を記録媒体に用いる記録及び／又は再生装置に用いられる磁気ヘッド装置及びこのヘッド装置を用いたディスク状記録媒体の記録及び／又は再生装置に関する。
背景技術
従来、光ビームと外部磁界を用いて楽音信号やコンピュータで処理されるデータ等の情報信号の記録及び／又は再生可能となす光磁気ディスクが用いられている。
この光磁気ディスクは、極めて高密度に情報信号の記録が行われる。そのため、光磁気ディスクにあっては、信号記録領域への僅かの塵挨の付着や傷付きによって、情報信号の記録及び／又は再生のエラーを発生させ、情報信号の正確な記録及び／又は再生が行えなくなってしまう。
そこで、光磁気ディスクは、上下一対のハーフを突き合わせ結合したカートリッジ本体に回転可能に収納されてディスクカートリッジとして構成され、カートリッジ本体に収納されたままの状態で記録及び／又は再生装置への装着が行われ、また、カートリッジ本体に収納されたまま保管される。
ディスクカートリッジに収納された光磁気ディスクは、ディスクカートリッジは装置本体内のカートリッジ装着部に装着されると、装置本体内に配設されたディスク回転操作機構に装着され、このディスク回転操作機構によって回転操作される。ディスク回転操作機構によって回転操作された状態にある光磁気ディスクの信号記録部に光ピックアップ装置から出射された光ビームを照射するとともに、磁気ヘッド装置から記録すべき情報信号に応じて磁界変調された外部磁界を印可することによって、所望の情報信号の記録が行われる。
また、ディスク回転操作機構によって回転操作された状態にある光磁気ディスクの信号記録部に光ピックアップ装置から出射された光ビームを照射するとともに、光磁気ディスクから反射された戻り光を光ピックアップ装置に設けた光検出器によって検出することによって、光磁気ディスクに記録された情報信号の読み取りが行われる。
そこで、光磁気ディスクを記録媒体に用い、情報信号の記録再生を可能となす記録再生装置には、光磁気ディスクに記録すべき情報信号に応じて磁界変調された外部磁界を印可するための磁気ヘッド装置が用いられている。
この種の記録再生装置に用いられる磁気ヘッド装置として、図１及び図２に示すように構成されたものが用いられている。
この磁気ヘッド装置１５２は、ディスク回転操作機構等の機構部が配設されるシャーシに移動可能に支持された光ピックアップ装置に連結された連結板を介して取り付けられる。磁気ヘッド装置１５２は、連結板を介して光ピックアップ装置に連結されることにより、光ピックアップ装置と同期して、ディスク回転操作機構によって回転操作される光磁気ディスク１５０の径方向に移動操作される。
光ピックアップ装置とともに、情報信号の記録再生手段を構成する磁気ヘッド装置１５２は、図１及び図２に示すように、図示しない連結板に基端部側が回動可能に支持された回動支持板１５３と、この回動支持板１５３の先端側に基端部側を支持された弾性を有するヘッド支持板１５４と、このヘッド支持板１５４の先端部側に取り付けられたヘッド支持板１５４と、このヘッド支持板１５４の回動位置を規制し、ヘッド支持板１５４の過剰な変位を規制する規制板１５５と、ヘッド支持板１５４に取り付けられるスライダ１５６及び磁気ヘッド１５７を主たる構成部材として構成されている。
この磁気ヘッド装置１５２を構成する回動支持板１５３は、支持部に設けた図示しないトーションスプリングによって図１中矢印Ａ1方向の時計回り方向に回動付勢されている。そして、ヘッド支持板１５４は、薄い金属製の弾性板を長尺な矩形状に打ち抜いて形成され、その基端部を回動支持板５３の自由端部に連結することによって片持ち状態で取り付けられている。
なお、規制板１５５は、基端部側をヘッド支持板１５４上に積層するようにして回動支持板１５３に連結されている。
そして、ヘッド支持板１５４の先端部側には、スライダ１５６を取り付けるための取付け部１５４ａが設けられている。この取付け部１５４ａは、ヘッド支持板１５４の先端部を略コ字状に打ち抜いて形成される。そして、ヘッド支持板１５４の先端部にはヘッド取付け部１５４ａを介して磁気ヘッド１５７が取り付けられたスライダ１５６が取り付けられる。
そして、スライダ１５６は、耐磨耗性を有する合成樹脂材料を成形することによって形成され、図３に示すように、磁気ヘッド１５７が装着されるヘッド取付け用の凹部１５９が形成された略角筒状のスライダ本体１５８と、このスライダ本体１５８の先端部に一体に突設されたディスク摺接部１６０とから構成されている。ヘッド取付け用の凹部１５９の光磁気ディスク１５０と対向する底面には、開口部１５９ａが設けられている。そして、磁気ヘッド１５７は、凹部１５９に収納するようにしてスライダ１５６に取り付けられ、この磁気ヘッド装置１５２を記録再生装置に取り付けたとき、開口部１５９ａを介して光磁気ディスク１５０の信号記録面に対向させられる。
なお、スライダ１５６は、ディスク摺接部１６０の光磁気ディスク１５０に摺接する面に対向する上面側をヘッド支持板１５４に設けた取付け部１５４ａに溶着するなどして取り付けられる。このスライダ１５６は、ヘッド支持板１５４に取り付けたとき、スライダ本体１５８の上端側の両側に突設した係止部１５８ａがヘッド支持板１５４の上面側に係止されることにより安定して支持される。
一方、光磁気ディスク１５０を収納したディスクカートリッジには、磁気ヘッド装置１５２の先端部に設けたスライダ１５６が進入する記録用の開口部が設けられている。この開口部は、通常シャッタ部材によって閉塞されており、カートリッジ本体の内部に塵挨等が進入して光磁気ディスク１５０の信号記録面に付着することを防止している。このディスクカートリッジは、記録再生装置のカートリッジ装着部への装着操作が行われると、シャッタ開放部材によってシャッタ部材が移動されて開口部が開放されて収納された光磁気ディスク１５０の情報信号記録面の一部が径方向に亘って外方へ臨まされる。
そして、磁気ヘッド装置１５２は、記録再生装置のカートリッジ装着部にディスクカートリッジが装着されると、開放された記録用の開口部からこのディスクカートリッジの内部へと進入し、図２に示すように光磁気ディスク１５０の信号記録面にスライダ１５６の先端部側のディスク摺接部１６０のディスク摺接面が軽く接触した状態となる。そして、磁気ヘッド装置１５２は、記録操作が行われると、スライダ１５６に装着された磁気ヘッド１５７から開口部１５９ａを介して光磁気ディスク１５０の情報信号記録面に外部磁界を印加し、情報信号の記録を行う。このとき、磁気ヘッド１５７が対向する部分には、光ピックアップ装置から光ビームが照射されている。
ところで、磁気ヘッド装置１５２は、記録再生装置のカートリッジ装着部にディスクカートリッジが装着される際に、このディスクカートリッジとの衝合を防止するために、通常カートリッジ装着部から退避した位置に保持されている。したがって、記録再生装置には、磁気ヘッド装置１５２を、図１に示すような退避位置と、図２に示す光磁気ディスク１５０との接触位置との間に亘って昇降動作させるための昇降機構が設けられている。昇降機構は、詳細を省略するが、カートリッジ装着部にディスクカートリッジが装着される際に、上述した回動支持板１５３に付与された弾性力に抗して磁気ヘッド装置１５２をカートリッジ装着部から離間させた位置へ移動させるヘッドリフトレバー１５１を備えている。
なお、磁気ヘッド装置１５２が図１に示すように、カートリッジ装着部から退避した位置に移動されたとき、ヘッド支持板１５４は規制板１５５の先端部に設けた規制部１５５ａによって支持されて過剰な弾性変位が規制される。
そして、ヘッドリフトレバー１５１は、カートリッジ装着部にディスクカートリッジが装着されていない状態においては、図１に示すように、回動支持板１５３の下面に当接することによってこの回動支持板１５３をトーションスプリングの付勢力に抗して上方へと押し上げている。また、ヘッドリフトレバー１５１は、カートリッジ装着部にディスクカートリッジが装着されると、下方へと回動動作されて回動支持板１５３の押上げ状態を解除する。磁気ヘッド装置１５２は、これによって回動支持板１５３を介して全体が回動動作し、上述したように光磁気ディスク１５０の信号記録面にスライダ１５６の先端部のディスク摺接部１６０が軽く接触した状態となる。
ところで、上述した磁気ヘッド装置１５２においては、回動支持板１５３に片持ち支持されたヘッド支持板１５４の先端部に質量のあるスライダ１５６が取り付けられているため、ヘッド支持板１５４の振動によりスライダ１５６の上下方向の位置が不安定となる。また、ヘッド支持板１５４は、記録再生装置が落下等された場合に、その衝撃によって多少撓んで変形することがある。
また、磁気ヘッド装置１５２は、上述したように回動支持板１５３及びヘッド支持板１５４等の部材を組み合わせて構成することから、これら各部材の寸法精度や組合せ精度等によっても、スライダ１５６の上下方向の位置が不安定となる。
このため、磁気ヘッド装置１５２は、カートリッジ装着部から離間した退避位置に保持されずにスライダ１５６がディスクカートリッジの装着領域に臨んで位置されるといった状態が発生することがあった。このため、磁気ヘッド装置１５２は、スライダ１５６が装着されるディスクカートリッジと衝合するといった不都合を発生させることがある。その結果、ディスクカートリッジの挿脱操作に際しての引掛りばかりでなく、薄い弾性を有する金属板によって形成されたヘッド支持板１５４を損傷させてしまうというような事故を引き起こす。
また、磁気ヘッド装置１５２は、スライダ１５６がカートリッジ装着部に対してディスクカートリッジの装着領域から退避した位置に保持されている場合においても、例えばディスクカートリッジが傾けられて装着されることによってスライダ１５６がこれと衝合して上述した問題が発生する虞がある。
このような問題点の発生を防止するために、記録再生装置においては、磁気ヘッド装置１５２を、上述したヘッド昇降機構のヘッドリフトレバー１５１によってカートリッジ装着部に対して十分な間隔をもって退避位置されるように構成している。このため、記録再生装置は、厚み寸法が大きくなって小型化を図ることが困難となってしまう。
また、磁気ヘッド装置１５２は、イジェクト操作が行われてカートリッジ装着部から装着されたディスクカートリッジが抜き取られる際に、記録用の開口部から退避するように上昇動作される。この場合、磁気ヘッド装置１５２は、シャッタ部材によるスライダ１５６の挟込みを防止するためにディスクカートリッジの移動動作に先行しかつスライダ１５６がカートリッジ装着部に対してディスクカートリッジの装着領域から十分に退避した位置まで移動動作される。
ところで、磁気ヘッド装置１５２は、このイジェクト操作において、上述したスライダ１５６の上下方向の位置が不安定な状態におかれることにより、このスライダ１５６がディスクカートリッジの装着領域に臨んで位置される状態が発生する。このため、磁気ヘッド装置１５２は、スライダ１５６の後端部がイジェクトされるディスクカートリッジの記録開口部と衝合するといった不都合を発生させることがあった。かかる現象も、ディスクカートリッジの引掛りやヘッド支持板１５４を破損させるような事故を引き起こしてしまう。
発明の開示
本発明の目的は、上述した従来の磁気ヘッド装置が有している問題点を解消し得る磁気ヘッド装置及びこのヘッド装置を備えた記録及び／又は再生装置を提供することにある。
また、本発明の目的は、磁気ヘッド装置の保護を図るとともに、確実なディスクカートリッジの装脱操作を実現し得る磁気ヘッド装置及び記録及び／又は再生装置を提供することにある。
さらに、本発明の目的は、記録媒体の装着部に装着されたディスク状記録媒体に対する移動量を小さくしながら、確実にディスク状記録媒体の装脱を実現し、記録再生装置自体の薄型化及び小型化を達成し得る磁気ヘッド装置及び記録及び／又は再生装置を提供することにある。
上述のような目的を達成するために提案される本発明に係る磁気ヘッド装置は、磁気ヘッドと、この磁気ヘッドが取り付けられるスライダと、弾性を有する板状の部材を用いて形成され、スライダが一端側に設けられているとともに、他端側が固定部に取り付けられる支持部材とを備え、上記スライダのディスク摺接面側であって、上記スライダの先端側に位置して、上記支持部材の他端側から一端側に向かって所定の仰角で傾斜する第１の傾斜ガイド面が設けられ、上記スライダの基端側に位置して、上記支持部材の一端側から他端側に向かって所定の仰角で傾斜する第２の傾斜ガイド面が設けられ、上記スライダのディスク摺接面方向において、上記磁気ヘッドが、上記第１の傾斜ガイド面と上記第２の傾斜ガイド面との間に配置されている。
また、上述したような目的を達成するために提案される本発明に係るディスク状記録媒体の記録及び／又は再生装置は、磁気ヘッドが取り付けられるスライダと、このスライダが一端側に取り付けられるとともに、他端側が固定部に取り付けられ、上記スライダに取り付けられた上記磁気ヘッドがディスク状記録媒体に近接する第１の位置とディスク状記録媒体より離間する第２の位置との間を移動する弾性を有する板状の部材を用いて形成された支持部材とを備え、上記スライダのディスク摺接面側であって、上記スライダの先端側に位置して、上記支持部材の他端側から一端側に向かってディスク状記録媒体より離間する方向に傾斜して形成され、上記ディスク状記録媒体が上記装置本体に挿入される際に上記ディスク状記録媒体と当接して上記支持部材を上記第２の位置方向に移動させる第１の傾斜ガイド面が設けられ、上記スライダのディスク摺接面側であって、上記スライダの基端側に位置して、上記支持部材の一端側から他端側に向かって所定の仰角で傾斜する第２の傾斜ガイド面が設けられている。そして、上記スライダのディスク摺接面方向において、上記磁気ヘッドが、上記第１の傾斜ガイド面と上記第２の傾斜ガイド面との間に配置されている。
さらに、本発明に係るディスク状記録媒体の記録及び／又は再生装置は、更にディスク状記録媒体に記録及び／又は再生を行う記録及び／又は再生部と、装置本体に挿入されたディスク状記録媒体を保持した状態で移動して記録及び／又は再生部に装着するためのホルダとを備える。このホルダには、磁気ヘッドあるいはスライダが臨む開口部が形成されている。
また、磁気ヘッドは取り付けられたスライダを支持する支持部材は、ホルダによって記録及び／又は再生手段にディスク状記録媒体を装着する際に、ホルダに設けた開口部よりホルダ内に位置する上記第１の傾斜ガイド面とディスク状記録媒体とが当接することによって第２の位置方向に回動され、ホルダによって記録及び／又は再生部に装着されたディスク状記録媒体を排出する際には、ホルダの移動に応じて第２の位置方向に大きく回動される。
【図面の簡単な説明】
図１は、光磁気ディスクを記録媒体に用いる記録再生装置に用いられる従来の磁気ヘッド装置を示す要部側面図であり、磁気ヘッドが光磁気ディスクから離間された態を示す。
図２は、上記磁気ヘッドが光磁気ディスクに近接し、情報信号の記録を可能となす状態を示す磁気ヘッド装置の要部側面図である。
図３は、上記磁気ヘッド装置を構成する磁気ヘッドが取り付けられるスライダを示す側面図である。
図４は、本発明に係る記録再生装置の記録媒体として用いられるディスクカートリッジを上面側から見た斜視図である。
図５は、上記ディスクカートリッジを下面側から見た斜視図である。
図６は、本発明に係る磁気ヘッド装置及びこの磁気ヘッド装置を備えた記録再生装置の分解斜視図である。
図７は、磁気ヘッド装置を光ピックアップ装置に連結し記録再生装置に配設した状態を示す断面図である。
図８は、磁気ヘッド装置の要部平面図である。
図９は、磁気委ヘッド装置の要部側面図である。
図１０は、磁気ヘッドが取り付けられるスライダを示す斜視図である。
図１１は、磁気ヘッドがカートリッジ装着部から離間した第２の位置に移動された状態を示す側面図である。
図１２は、磁気ヘッドがカートリッジ装着部側に近接した第１の位置に移動された状態を示す側面図である。
発明を実施するための最良の形態
以下、本発明に係る磁気ヘッド装置及びディスク状記録媒体として光磁気ディスクを記録媒体に用いる記録再生装置を図面を参照して説明する。
本発明に係る磁気ヘッド装置が適用される記録再生装置は、記録媒体として情報信号の再記録を可能となす光磁気ディスク１を収納したディスクカートリッジ２を用いる。このディスクカートリッジ２は、上下一対のハーフ３、４を突き合わせ結合した矩形状をなすカートリッジ本体５内に光磁気ディスク１を回転可能に収納している。カートリッジ本体５の上面側には、図４に示すように、後述するように磁気ヘッドが進入する記録用の開口部６が形成されている。また、カートリッジ本体５の下面側には、図５に示すように、磁気ヘッド用の開口部６に対向して光ピックアップ装置用の開口部７が、形成されている。カートリッジ本体５に収納された光磁気ディスク１は、各開口部６、７を介して記録再生領域の一部が径方向に亘って外方に臨まされる。また、カートリッジ本体５の下面側の中央部には、光磁気ディスク１を回転操作するディスク回転操作機構のディスクテーブルが進入する円形のディスクテーブル用の中央開口部１５が形成されている。
そして、カートリッジ本体５には、各開口部６、７を開閉するシャッタ部材９が取り付けられている。このシャッタ部材９は、薄い金属板を打ち抜き折り曲げて形成され、各開口部６、７を覆うに足る大きさを有するシャッタ板１０、１１とこれらシャッタ板１０、１１の基端部を連結する連結片１３とから構成される。そして、シャッタ部材９は全体として略コ字状に形成される。このように形成されるシャッタ部材９は、各シャッタ板１０、１１が各開口部６、７を覆うようにしてカートリッジ本体５の前面側に取り付けられ、この前面側に沿って移動することにより各開口部６、７を開閉する。シャッタ部材９は、連結片１３に設けられた係合片１３ａをカートリッジ本体５の前面側に形成した移動ガイド溝１４に係合されることにより、係合片１３ａが移動ガイド溝１４にガイドされ安定した移動が保証される。
以上のように構成されたディスクカートリッジ２は、シャッタ部材９が移動する前面側と直交する一側面を挿入端として記録再生装置に対する挿脱がなされる。すなわち、ディスクカートリッジ２は、図４及び図５中矢印中Ｘ1、Ｘ2方向を挿脱方向として記録及び／又は再生装置に挿脱される。
また、シャッタ部材９の連結片１３の中央部には、このディスクカートリッジ２を記録再生装置からイジェクト操作する際、各開口部６、７を開放する位置に移動されたシャッタ部材９を閉塞する位置方向に移動操作する記録再生装置側に設けられたシャッタ閉塞操作部材が係合する係合孔１５が設けられている。
ところで、ディスクカートリッジ２に収納される光磁気ディスク１は、その中央部にセンタ穴１６が形成され、このセンタ穴１６を閉塞するようにハブ１７が取り付けられている。このハブ１７は、ディスクテーブルに配設されたマグネットに吸引可能とさせる磁性を有する金属材料により形成されている。これらセンタ穴１６及びハブ１７は、カートリッジ本体５のディスクテーブル用の中央開口部８を介して外方に臨まされている。
上述のように構成されたディスクカートリッジ２を記録媒体に用いる本発明に係る記録再生装置は、装置本体を構成する外筐内に、図６に示すように、上面側にカートリッジ装着部２０が構成されるシャーシ２１が配設されている。このシャーシ２１を介して、ディスクカートリッジ２を保持し、このディスクカートリッジ２をカートリッジ装着部２０に装脱させるカートリッジホルダ２２が回動可能に支持される。また、シャーシ２１には、光ピックアップ装置２４が支持され、この光ピックアップ装置２４に連結されて本発明が適用された磁気ヘッド装置２３が配設される。さらに、シャーシ２１には、カートリッジ装着部２０に装着されたディスクカートリッジ２に収納された光磁気ディスク１を回転操作するディスク回転操作機構２５が配設されている。
なお、シャーシ２１は、図６に示すように、金属材料により平板な矩形状に形成され、ディスクカートリッジ２の主面の外形寸法よりやや大とされた大きさを有する。
上面側にカートリッジ装着部２０が構成されたシャーシ２１に、ディスク回転操作機構２５、光ピックアップ装置２４及び磁気ヘッド装置２３を配設することにより記録再生部が構成される。
そして、シャーシ２１の略中央部に配設されるディスク回転操作機構２５は、シャーシ２１の下面側に配設される図示しない駆動モータと、この駆動モータの駆動軸２６に取り付けられシャーシ２１の上面側に配設されるディスクテーブル２７とから構成される。このディスクテーブル２７は、全体が円盤状を呈して形成され、その内部にマグネットが配設されている。そして、このディスクテーブル２７は、ディスクカートリッジ２がカートリッジ装着部２０に装着されると、ディスクカートリッジ２のハブ１７を磁気吸着して、光磁気ディスク１を一体に回転するようにクランプする。
なお、装置本体を構成する外筐には、例えば、この記録再生装置を駆動させる電源投入釦、各種の操作モードを選択する記録釦、再生釦、一時停止釦、停止釦、音量調節釦、イジェクト釦等のキー入力部や、再生している情報信号のアドレスを表示する表示部等が設けられている。そして、このように構成されたキー信号入力部や表示部は、外筐内に配設されたＣＰＵ（central processing unit）により制御される。そして、このＣＰＵは、キー信号入力部からの信号に基づいてディスク回転操作機構２５、磁気ヘッド装置２３、光ピックアップ装置２４等からなる記録再生部を制御する。また、この外筐には、ディスクカートリッジ２０の装着操作するカートリッジホルダ２２と連動して回動操作される蓋体が取り付けられいる。
また、シャーシ２１には、ディスク回転操作機構２５に隣接して光ピックアップ装置２４を外方に臨ませるピックアップ用開口部２８が設けられている。このピックアップ用開口部２８は、ディスクカートリッジ２のシャッタ部材９がカートリッジ本体５の各開口部６、７を開放した状態でカートリッジ装着部２０に装着された際、光ピックアップ装置２４が開口部７を介してカートリッジ本体５の外方に臨まされる光磁気ディスク１の内外周に亘って移動できるように、光ピックアップ装置２４の移動領域に対応して形成されている。
そして、シャーシ２１に移動可能に配設される光ピックアップ装置２４は、光学ブロック部を有し、この光学ブロック部内に、半導体レーザ等よりなる光源と、この光源から出射された光ビームをディスク１へと導く光学デバイス及び対物レンズ２９とを備えている。この光ピックアップ装置２４は、光源より出射される光ビームを光学デバイス、対物レンズ２９を介して光磁気ディスク１の信号記録層に集光して照射できるように構成されている。また、この光ピックアップ装置２４は、光磁気ディスク１に照射された光ビームの反射光を対物レンズ２９及び光学デバイスを介して検出することによって、光磁気ディスク１に記録された情報信号の読み出しを行う。
また、光ピックアップ装置２４は、光磁気ディスク１から反射された反射光をからフォーカスエラー信号及びトラッキングエラー信号を検出し、これらエラー信号に応じて２軸アクチュエータを駆動させることによって対物レンズ２９を駆動変位させ、フォーカシング制御及びトラッキング制御を行う。
このように構成される光ピックアップ装置２４は、シャーシ２１の下面側に互いに平行に取り付けられたガイドシャフト３０を介して移動可能に取り付けられている。そして、この光ピックアップ装置２４は、シャーシ２１の下面側に取り付けられた図示しない送りモータにより駆動されるピックアップ送り機構を介して、ガイドシャフト３０にガイドされて、ディスクテーブル２７上に載置された光磁気ディスク１の径方向に送り操作される。ピックアップ送り機構を駆動させる送りモータには、この送りモータの駆動軸に図示しない駆動ギヤが取り付けられている。そして、駆動ギヤは、ピックアップ送り機構を構成するシャーシ２１の下側において回転可能に取り付けられた図示しない減速伝達ギヤに噛合されている。この減速ギヤは、ガイドシャフト３０に平行に回転可能に取り付けられたスクリューシャフト３１の一端に取り付けられた従動ギヤ３２に噛合されており、この従動ギヤ３２を介してスクリューシャフト３１を軸回りに回転させる。そして、光ピックアップ装置２４は、光学ブロック部に設けた係合ピン３３を係合させることによってスクリューシャフト３１に係合されている。この光ピックアップ装置２４は、送りモータが駆動されてスクリューシャフト３１が回転操作されることによりガイドシャフト３０に沿って移動される。
また、シャーシ２１の上面側に構成されたカートリッジ装着部２０には、この装着部２０に装着されるディスクカートリッジ２の装着位置を位置決めする位置決めピン３４ａ、３４ｂが植立されている。これら位置決めピン３４ａ、３４ｂは、カートリッジ装着部２０にディスクカートリッジ２が装着された際に、カートリッジ本体５の下面側に設けた位置決め穴５ａ、５ｂに係合することによってカートリッジ装着部２０に対してディスクカートリッジ２の位置決めを行う。また、カートリッジ装着部２０には、ディスクカートリッジ２の高さ方向の位置決めを行う位置決め突起３５ａ、３５ｂが設けられている。この位置決め突起３５ａ、３５ｂは、カートリッジ装着部２０に装着されたディスクカートリッジ２の下面に当接して、ディスクカートリッジ２の高さ方向の位置決めを行う。
なお、一方の位置決め突起３５ａには、ディスクカートリッジ２の装着を検出する検出スイッチが設けられている。この検出スイッチには、シャーシ２１の上面に向かって押圧子が設けられており、ディスクカートリッジ２がカートリッジ装着部２０に装着された際に押圧子が押圧されることで、ディスクカートリッジ２の装着の検出を行う。
また、このシャーシ２１のディスクカートリッジ２が挿脱される前面側に対向する背面側の両側には、ディスクカートリッジ２を保持するカートリッジホルダ２２を回動自在に支持する一対の支持片３６ａ、３６ｂが取り付けられている。これら支持部材３６ａ、３６ｂには、支軸３７が突設され、これら支軸３７を介してカートリッジホルダ２２が回動可能に支持される。
また、シャーシ２１の上面側に回動自在に取り付けられるカートリッジホルダ２２は、ディスクカートリッジ２を保持し得るように、天板部４２と、この天板部４２の両側に断面コ字状に折り返し形成された一対のカートリッジ保持部４３ａ、４３ｂとを有する。このカートリッジホルダ２２は、前面側の挿脱口２２ａを介してディスクカートリッジ２が挿入されると、各カートリッジ保持部４３ａ、４３ｂにディスクカートリッジ２の前面側と背面側が支持されて保持される。
一方のカートリッジ保持部４３ｂの中途部には、カートリッジホルダ２２の内方に向かって、シャッタ開放片４５が突設されている。このシャッタ開放片４５は、このカートリッジホルダ２２にディスクカートリッジ２が挿入されたとき、ディスクカートリッジ２の移動ガイド溝１４に進入し、シャッタ部材９の連結片１３の表面に当接し、このディスクカートリッジ２がカートリッジホルダ２２内に収納されたときに、シャッタ部材９を開状態とする。また、カートリッジホルダ２２には、カートリッジ保持部４３ａ、４３ｂの後方に軸穴４６が穿設されている。これら軸穴４６は、シャーシ２１の背面側に設けられた支軸３７に嵌合され、カートリッジホルダ２２を回動可能に支持する。また、カートリッジホルダ２２には、その天板部４２には、磁気ヘッド装置２３の一部をカートリッジホルダ２２内に進入させる開口部である窓部４７が開口されている。さらに、カートリッジホルダ２２の他方のカートリッジ保持部４３ａには、シャーシ２１の一部に係止されることによりカートリッジホルダ２２をシャーシ１に対し閉状態とさせるロック片４８が設けられている。
このように構成されたカートリッジホルダ２２は、図６中矢印Ｙ1方向のカートリッジ装着部２０から離間した上方側に回動された状態において、ディスクカートリッジ２の挿脱が行われ、ディスクカートリッジ２を保持し、図６中矢印Ｙ2方向のカートリッジ装着部２０側の下方側に回動されると、ここに保持したディスクカートリッジ２をカートリッジ装着部２０に装着させる。このようにして、カートリッジ装着部２０に装着されたディスクカートリッジ２は、位置決めピン３４ａ、３４ｂ、位置決め突起３５ａ、３５ｂ等により位置決めがなされ、記録及び／又は再生が可能な状態とされる。
また、磁気ヘッド装置２３は、Ｌ字状をなす連結部材５０を介して光ピックアップ装置２４に連結され、この光ピックアップ装置２４と一体に移動するように取り付けられる。
この磁気ヘッド装置２３は、図７、図８及び図９に示すように、光ピックアップ装置２４に連結された連結部材５０に基端部側が回動可能に支持された回動支持板５１と、この回動支持板５１の先端側に基端部側を支持されたヘッド支持板５３と、このヘッド支持板５３の基端部側に基端部を重ね合わせるようにして回動支持板５１に取り付けられ、ヘッド支持板５３の回動位置を規制する回動規制板５２と、ヘッド支持板５３の先端側に取り付けられるスライダ５４及び磁気ヘッド５５を主たる構成部材として構成されている。
そして、磁気ヘッド装置２３は、図７に示すように、回動支持板５１を介して連結部材５０に片持ち状態で回動自在に支持されている。連結部材５０は、図７に示すように、下端部を光ピックアップ装置２４の一部であるキャリッジに固定されるとともに上端部がシャーシ２１の後端部に沿ってカートリッジホルダ２２の上方部まで延在されている。この連結部材５０の図中上方側の自由端部には、図６及び図７に示すように、支軸５６が設けられており、磁気ヘッド装置２３を構成する回動支持板５１の基端部を回動可能に支持している。
磁気ヘッド装置２３を連結部材５０の先端側に回動可能に支持される回動支持板５１は、磁気ヘッド装置２３の基端部を確実に支持し安定した状態で回動操作されるように剛性を有する金属板によって形成されている。この回動支持板５１は、基端部側の両側に立ち上がり形成された一対の支持片５１ａ間に支軸５６が挿通されることにより連結部材５０に支持される。また、回動支持板５１は、支軸５６に巻装され支持片５１ａと連結部材５０との間に張設された図示しないトーションスプリングにより、図７中矢印Ｃ1方向のカートリッジ装着部２０側に回動付勢されている。
そして、回動支持板５１の先端側に基端部を固定して連結される回動規制板５２は、やや弾性を有する金属板によって形成され、図８に示すように基端部側の取付け部５２ａに複数の貫通孔５２ｂが穿設され、これら貫通孔５２ｂに挿通される固定ネジや回動支持板５１側に突設された突起を係合させることにより回動支持板５１の先端側に位置決めされて取り付けられる。この回動規制板５２は、取付け部５２ａの一側から先端側に延長されて、ヘッド支持板５３がカートリッジ装着部２０から離間するように回動されたときにこのヘッド支持板５３の回動位置を規制しヘッド支持板５３の過剰な変位を規制する支持アーム５２ｂが設けられている。この支持アーム５２ｂは、先端部に、このアーム５２ｂの延長方向と直交する方向に折り曲げた支持片５２ｃが設けられている。この支持片５２ｃは、後述するようにヘッド支持板５３の上面側に対向するように延在し、このヘッド支持板５３の弾性変位量を規制する。
そして、磁気ヘッド５５を支持する支持部材となるヘッド支持板５３は、弾性を有する薄い金属板によって形成され、基端部側をヘッド支持板５３と重ね合わされるようにして、ヘッド支持板５３と共に固定部となる回動支持板５１に取り付けられる。このヘッド支持板５３は、後述するようにその先端部にやや質量の大きなスライダ５４が取り付けられるとともに、情報信号の記録時に、スライダ５４に光磁気ディスク１の表面に軽く接触するに足る弾性力を付与する。このヘッド支持板５３は、長手方向の中央部を頂点としてわずかに山形に折曲され、先端部にスライダ取付け部５３ａが一体に形成されている。このスライダ取付け部５３ａは、ヘッド支持板５３の先端部に、図８に示すように、略コ字状をなす切り欠き部５３ｂを穿設することによって形成される。すなわち、スライダ取付け部５３ａは、ヘッド支持板５３の先端部側から基端側に向かって延在する舌状片として形成されている。このスライダ取付け部５３ａを形成するために穿設された切り欠き部５３ｂは、このスライダ取付け部５３ａに取り付けられるスライダ５４の基部５７の幅よりやや幅広の切欠き幅をもってヘッド支持板５３の先端部に打抜き形成されている。スライダ５４は、切り欠き部５３ｂ内に位置するようにしてスライダ取付け部５３ａに取り付けられる。
そして、スライダ取付け部５３ａに取り付けられるスライダ５４は、耐磨耗性を有する合成樹脂材料によって成形され、図１０に示すように、ヘッドチップ取付け用の凹部５８が形成された有底角筒状のスライダ本体５７と、このスライダ本体５７の前端側から一体に突設されたディスク摺接部６１とから構成されている。スライダ本体５７は、ヘッド支持板５３の先端側にスライダ取付け部５３ａを形成するために設けた切り欠き部５３ｂの幅よりやや幅狭に形成され、中央部に有底の凹部５８が設けられている。また、スライダ本体５７に設けた凹部５８の底部には、この凹部５８に取り付けられる磁気ヘッド５５の一部を外方に臨ませる開口部５９が開設されている。
さらに、スライダ本体５７には、凹部５８の後方側の開口縁に位置して、それぞれ側方へと突出する一対の係止部６０ａ、６０ｂが一体に突設されている。これら係止部６０ａ、６０ｂは、上述したヘッド支持板５３の先端側に設けた切り欠き部５３ｂの切欠き幅よりも大とされた突出量をもって突設されている。また、スライダ本体５７には、係止部６０ａ、６０ｂに対応する底面側、すなわち光磁気ディスク１に対向する面側のコーナ部には、図９及び図１０に示すように、幅方向の全域に亘って緩やかな傾斜面が設けられている。この傾斜面は、スライダ本体５７の先端側から基端側に向かってディスク摺接部６１の底面であるディスク摺接面６１ａに対し所定の仰角でスライダ５４の底面部と光磁気ディスク１との対向間隔を次第に大とする傾斜面として構成され、後述するようにディスクカートリッジ１に対する第２の傾斜ガイド面６４を構成する。
また、スライダ本体５７の先端側に突設したディスク摺接部６１は略矩形の板状を呈しており、その上面側に係合突部６２が突設されている。また、ディスク摺接部６１は、その先端部が上方に向かって円弧状に折曲されて形成されることによって、その底面側である光磁気ディスク１との摺接面６１ａが緩やかな円弧状の傾斜面として形成されている。すなわち、この傾斜面は、図９及び図１０に示すように、一端側である先端側から後方側に向かってディスク摺接部６１のディスク摺接面６１ａと光磁気ディスク１との対向間隔を次第に大とする傾斜面として構成され、後述するようにディスクカートリッジ１に対する第１の傾斜ガイド面６３を構成する。すなわち、この第１の傾斜ガイド面６３は、ディスク摺接部６１の一端側から他端側に向かって、ディスク摺接部６１の底面であるディスク摺接面６１ａに対し所定の仰角をもって傾斜されている。
すなわち、図９より明らかなように、スライダ本体５７のディスク摺接面６１ａの方向において、磁気ヘッド５５が、第１の傾斜ガイド面６３と第２の傾斜ガイド面６４との間に配置されている。
以上のように構成されたスライダ５４には、磁気ヘッド５５が光磁気ディスク１との対向面を開口部５９に臨ませるようにしてスライダ本体５７の凹部５８中に装着される。この磁気ヘッド５５は、例えばエポキシ樹脂等によって凹部５８内に固定される。
そして、磁気ヘッド５５を取り付けたスライダ５４は、図１０に示すように、そのスライダ本体５７が切り欠き部５３ｂに嵌合されることによってヘッド支持板５３の先端部に取り付けられる。このとき、ヘッド支持板５３は、ヘッド取付け部５３ａの先端部がディスク摺接部６１の上面側に当接されるとともに、ヘッド取付け部５３ａに穿設した係合孔５３ｃに係合突部６２が相対係合される。このとき、スライダ本体５７に設けた係止部６０ａ，６０ｂが切り欠き部５３ｂの両側にヘッド支持板５３の上面側から係止することによって、スライダ５７は、光磁気ディスク１から離間された状態におかれた場合にあっても揺動が規制されてヘッド支持板５３に支持される。
すなわち、スライダ５４は、スライダ取付け部５３ａの基端側をやや弾性変位させた状態で係止部６０ａ、６０ｂによって係止するとともに先端部に生じるその弾性力がディスク摺接部６１の上面側に作用されかつ係合突部６２がヘッド取付け部５３ａの係合孔５３ｃに相対係合されることにより、ヘッド支持板５３の先端側に取り付けられる。
そして、スライダ５４に取り付けられた磁気ヘッド５５は、図８に示すように、ヘッド支持板５３の上面に配設されたフレキシブルプリント基板５６に設けた導電パターン５６ａを介して制御回路基板と接続される。
以上のように構成された磁気ヘッド装置２３は、図７に示すように、回動支持板５１が連結部材５０の先端部に片持ち支持された状態で回動可能に支持され、ヘッド支持板５３の先端部に取り付けた磁気ヘッド５５を支持したスライダ５４がカートリッジホルダ２２に設けた窓部４７に臨ませられる。
そして、磁気ヘッド装置２３は、カートリッジホルダ２２を介して配設された昇降操作機構７０により、ヘッド支持板５３の先端部に取り付けたスライダ５４をカートリッジ装着部２０に装着された光磁気ディスク１に近接する第１の位置と離間する第２の位置との間に亘って回動操作される。
この昇降操作機構７０は、図６に示すように、磁気ヘッド装置２３のヘッド支持板５３回動操作するヘッド昇降板８０と、駆動モータにより移動操作されてヘッド昇降板８０を回動操作する操作板８１を備える。ヘッド昇降板８０は、図６に示すように、窓部４７に掛け渡されるようにしてカートリッジホルダ２２の上面側に配設されている。このヘッド昇降板８０は、ヘッド支持板５３を下面側から支持するヘッド支持部８５と、このヘッド支持部８５の両端に突設された支持アーム８６ａ、８６ｂとを備える。そして、ヘッド昇降板８０は、支持アーム８６ａ、８６ｂの基端部をカートリッジホルダ２２の後方側であって窓部４７の近傍に設けられた軸部８７ａ、８７ｂに支持され、この軸部８７ａ、８７ｂを中心に回動可能にカートリッジホルダ２２上に配設されている。
また、ヘッド昇降板８０を回動操作する操作板８１は、図６に示すように、カートリッジホルダ２２の上面側に移動可能に配設される。この操作板８１の一側には、図６中矢印Ｂ1方向又はＢ2方向への移動に応じてヘッド昇降板８０を回動操作するカム片１００が上方に向かって立ち上がるように形成されている。このカム片１００上には、ヘッド昇降板８０から突設された被操作片８９が当接されている。
そして、操作板８１は、シャーシ２１の下面側に配設された図示しない駆動機構によりカートリッジホルダ２２の上面を図６中矢印Ｂ2方向に移動され、カム片１００により被操作片８９を押し上げることによりヘッド昇降板８０を図７中矢印Ｃ2方向に回動し、このヘッド昇降板８０上に載置された磁気ヘッド装置２３のヘッド支持板５３を図７中矢印Ｃ2方向に回動させる。すなわち、ヘッド支持板５３を支持した回動支持板５１がトーションスプリングの付勢力に抗して回動されることによって、ヘッド支持板５３が図７中矢印Ｃ2方向に回動される。
また、操作板８１が、図６中矢印Ｂ1方向に移動され、被操作片８９がカム片１００に沿って降下し、ヘッド昇降板８０を図７中矢印Ｃ1方向に回動させ、このヘッド昇降板８０上に載置されたヘッド支持板５３を図７中矢印Ｃ1方向に回動させる。このヘッド支持板５３の回動は、ヘッド支持板５３を支持した回動支持板５１を回動付勢するトーションスプリングの付勢力を受けて行われる。
昇降操作機構７０により磁気ヘッド装置２３が操作される状態を更に具体的に説明する。
この磁気ヘッド装置２３は、装置本体内のカートリッジ装着部２０にディスクカートリッジ２を装着させた後、記録再生装置が記録モードに設定されると、操作板８１が図６中矢印Ｂ1方向に移動され、被操作片８９がカム片１００に沿って降下し、ヘッド昇降板８０を図７中矢印Ｃ1方向に回動させ、このヘッド昇降板８０上に載置されたヘッド支持板５３を図７中矢印Ｃ1方向に回動させる。ヘッド支持板５３の図７中矢印Ｃ1方向ヘッドの回動により、ヘッド支持板５３の先端部に取り付けられたスライダ５４は、図１１に示すディスクカートリッジ２内の光磁気ディスク１から離間した第２の位置から、図１２に示す光磁気ディスク１に近接する第１の位置側に近接する方向に移動する。このとき、スライダ５４は、窓部４７を介してカートリッジホルダ２２内に進入していく。
そして、スライダ５４は、光磁気ディスク１に近接する第１の位置側に移動すると、図１２に示すように、記録用の開口部６からカートリッジ本体５の内部へと進入し、光磁気ディスク１の表面にスライダ本体５７の下面が軽く当接した状態となる。そして、光磁気ディスク１が回転操作されると、スライダ５４の下面と光磁気ディスク１の表面との間に発生するエアーフィルムの作用により、スライダ２２はヘッド支持板５３の付勢力に抗して光磁気ディスク１の表面から浮上し、先端に突設したディスク摺接部６１のディスク摺接面６１ａを軽く接触させた状態となる。
そして、スライダ５４に取り付けられた磁気ヘッド５５が摺接する位置には、光ピックアップ装置２４から出射される光ビームが照射される。光ビームが照射され保磁力を失った光磁気ディスク１の信号記録部に、磁気ヘッド５５を介して情報信号に応じて磁界変調された外部磁界が印可されることにより、光磁気ディスク１に対する情報信号の記録が行われる。磁気ヘッド５５からの磁界は、スライダ５４に設けた開口部５９を介して光磁気ディスク１に印可される。
ところで、磁気ヘッド装置２３は、カートリッジ装着部２０にディスクカートリッジ２が装着されていない状態や記録再生装置が記録モードに設定されていない状態にあるとき、ヘッド支持板５３が昇降操作機構７０よって押し上げられてスライダ５４がカートリッジ装着部２０から離間した第２の位置にされる。このとき、本記録再生装置においては、磁気ヘッド５５を取り付けたスライダ５４とカートリッジ装着部２０との間隔がごく僅かに設定されている。すなわち、記録再生装置は、昇降操作機構７０による磁気ヘッド装置２３の押上げ量が低減された構成が採用されることにより、全体として薄型化が図られている。そのため、磁気ヘッド装置２３は、各構成部材の寸法精度や組立精度、ヘッド支持板５３の振動あるいは落下衝撃等による変形等の原因によって、スライダ５４の一部がカートリッジ装着部２０のディスクカートリッジ２が装着される領域内に位置されることがある。これによって、スライダ５４は、カートリッジ装着部２０に装着されるディスクカートリッジ２の端部と衝合することがある。一方、磁気ヘッド装置２３は、カートリッジ装着部２０に対してディスクカートリッジ２が傾けられた状態で装着された場合に、このディスクカートリッジ２の端部にスライダ５４が衝合することがある。
そこで、本発明に係る磁気ヘッド装置２３は、前述したようにスライダ５４のディスク摺接部６１の先端部側に第１の傾斜ガイド面６３を一体に形成している。したがって、スライダ５４は、万一上述したようなディスクカートリッジ２と衝合する事態が発生した場合にも、このディスクカートリッジ２がカートリッジ装着部２０に挿入されるにしたがって第１の傾斜ガイド面６３の作用によってヘッド支持板５３を弾性変位させながらカートリッジ装着部２０から離間する方向の上方へと回動させる。このスライダ５４の回動は、ディスクカートリッジ２との衝合の衝撃力や装着力がヘッド支持板５３へと作用されることを防止する。したがって、磁気ヘッド装置２３は、ヘッド支持板５３やスライダ５４等の構成部材の変形、破損の事態が確実に防止される。また、磁気ヘッド装置２３は、ディスクカートリッジ２の装着操作に際して引掛り現象の発生を防止する。
一方、磁気ヘッド装置２３は、イジェクト操作が行われてカートリッジ装着部２０に装着されたディスクカートリッジ２がイジェクト動作する際に、昇降操作機構７０が動作してヘッド支持板５３が昇降操作板８０によって押し上げられてカートリッジ装着部２０から離間する第２の位置方向に回動する。この際、スライダ５４は、スライダ本体５７の後端側の底面部が、回動動作とディスクカートリッジ２のイジェクト動作とのタイミングのずれやヘッド支持板５３の振動等によってカートリッジ本体５の開口部６の開口縁と衝合することがある。
ところで、スライダ５４のスライダ本体５７には、前述したように、第２の傾斜ガイド面６４が一体に形成されている。したがって、スライダ５４は、ディスクカートリッジ２のイジェクト動作に伴って、第２の傾斜ガイド面６４の作用によりヘッド支持板５３を弾性変位させながらカートリッジ本体５の開口部６の開口縁からカートリッジ本体５の表面へと乗上り動作する。このスライダ５４の動作は、イジェクト動作時のディスクカートリッジ２の引掛り現象の発生を防止し、またヘッド支持板５３の変形、破損を防止する。
なお、上述した磁気ヘッド装置２３においては、磁気ヘッド５５を取り付けたスライダ５４が光磁気ディスク１の回転によって生じる空気流によって浮上するいわゆる浮上型磁気ヘッド装置の例を挙げて説明したが、機構ヘッド支持板５３の弾性力により光磁気ディスク１の表面に摺接して情報信号の記録を行うように構成したものにも適用されることは勿論である。
また、スライダ５４に設けた第１の傾斜ガイド面６３は、スライダ本体５７に一体に突設したディスク摺接部６１の先端側の光磁気ディスク１と対向する底面側に形成したが、このディスク摺接部６１を備えずヘッド支持板５３が直接スライダ本体５７に取り付けられる構造の場合には、スライダ本体５７の底面側の先端部に形成される。
さらに、第２の傾斜ガイド面６４は、専らディスクカートリッジ２のイジェクト動作時の引掛り防止に対して作用するが、これによるヘッド支持板５３の変形や破損といった不都合の発生は少ない。したがって、第２の傾斜ガイド面６４は、スライダ５４の後方底面部にカートリッジ本体を構成するハーフの厚み寸法を逃がす程度のガイドを付すことで対応が可能であり、例えば面取り等の処理によっても対応される。
さらにまた、記録再生装置は、光磁気ディスクをカートリッジ本体の内部に回転自在に収納したディスクカートリッジが用いられるが、光磁気ディスクが直接装着される記録再生装置であってもよいことは勿論である。
さらにまた、本発明は、ディスク状記録媒体に近接離間する方向に移動するようにヘッド若しくはこのヘッドを取り付けたスライダを支持部材に片持ち支持した構造を備えたヘッド装置及びこのヘッド装置を備えた記録及び／又は再生装置に適用することにより、記録及び／又は再生装置の小型化及び薄型化を図ることができる。
産業上の利用可能性
本発明に係る磁気ヘッド装置及び記録及び／又は再生装置は、ディスク状記録媒体に近接離間する方向に移動するように、片持ち支持されたヘッドを取り付けたスライダに、スライダに支持部材の他端側から一端側に向かって所定の仰角で傾斜するように設けられたガイド部を設けてなるので、ディスク状記録媒体が装着される装着部とスライダとの間の距離が小さくとも、装着部に挿脱されるディスク状記録媒体とスライダ若しくはヘッドとの衝合を確実に回避することができる。したがって、ディスク状記録媒体、スライダ若しくはヘッドの保護を実現し、さらに、スライダ若しくはヘッドの記録媒体の装着部に装着されたディスク状記録媒体に対する移動量を小さくしながら、確実にディスク状記録媒体の装脱を実現し、記録再生装置自体の薄型化及び小型化を実現する。
【図１】
0004055209.tif 000002
【図２】
0004055209.tif 000003
【図３】
0004055209.tif 000004
【図４】
0004055209.tif 000005
【図５】
0004055209.tif 000006
【図６】
0004055209.tif 000007
【図７】
0004055209.tif 000008
【図８】
0004055209.tif 000009
【図９】
0004055209.tif 000010
【図１０】
0004055209.tif 000011
【図１１】
0004055209.tif 000012
【図１２】
0004055209.tif 000013